【手続補正書】
【提出日】平成25年10月3日(2013.10.3)
【手続補正１】
【補正対象書類名】特許請求の範囲
【補正対象項目名】全文
【補正方法】変更
【補正の内容】
【特許請求の範囲】
【請求項１】
端末装置において第１の基本装置から第１の周波数を含む第１の組の伝送データを無線で受信するステップと、
前記端末装置のメモリに前記第１の組の伝送データを記憶するステップと、
前記端末装置において第２の基本装置から第２の周波数を含む第２の組の伝送データを無線で受信するステップと、
前記端末装置の前記メモリに前記第２の組の伝送データを記憶するステップと、
前記端末装置上のユーザ入力装置から受信される選択に応じて前記第１又は第２の周波数で前記端末装置においてオーディオ信号を受信するステップと、
前記ユーザ入力装置からの前記選択に応じて音声伝送装置にオーディオ信号を出力するステップと
を備える、方法。
【請求項２】
前記第１の組の伝送データ及び前記第２の組の伝送データは、前記端末装置に設置される赤外線受信機を介して前記端末装置によって受信される、請求項１に記載の方法。
【請求項３】
前記端末装置が前記第１の基本装置の近接している間に、前記端末装置は、前記第１の基本装置におけるユーザ入力に応じて前記第１の組の伝送データを受信し、且つ、前記端末装置が前記第２の基本装置の近接している間に、端末装置は、前記第２の基本装置におけるユーザ入力に応じて前記第２の組の伝送データを受信する、請求項２に記載の方法。
【請求項４】
前記第１の組又は前記第２の組の伝送データの少なくとも一部は、ユーザ入力装置からの選択に応じて前記端末装置において表示される、請求項１に記載の方法。
【請求項５】
前記第１の組又は第２の組の伝送データは、ミックス識別子を更に含む、請求項４に記載の方法。
【請求項６】
前記端末装置において１つ以上の追加の基本装置から周波数及びミックス識別子を含む少なくとも１つの追加の組の伝送データを無線で受信するステップと、前記端末装置の前記メモリに前記少なくとも１つの追加の組の伝送データを記憶するステップとを更に備える、請求項５に記載の方法。
【請求項７】
ユーザ入力装置からの選択に応じて前記端末装置における前記ユーザディスプレイに前記少なくとも１つの追加の組の伝送データを表示するステップと、前記ユーザ入力装置からの前記選択に応じて前記少なくとも１つの追加の組の伝送データに対応するオーディオ信号を前記端末装置において受信するステップと、前記ユーザ入力装置からの前記選択に応じて音声伝送装置に前記少なくとも１つの追加の組の伝送データに対応する前記オーディオ信号を出力するステップとを更に備える、請求項６に記載の方法。
【請求項８】
前記第１の組の伝送データ及び前記第２の組の伝送データは、前記端末装置によって自動的に受信され且つ記憶される、請求項１に記載の方法。
【請求項９】
ＲＦ環境が監視されて、干渉を検出すると、前記第１又は第２の基本装置のために新しい周波数伝送値が確立される、請求項１に記載の方法。
【請求項１０】
前記端末装置は、前記第１の組の伝送データ及び前記第２の組の伝送データにチャネルラベルを割り当てる、請求項４に記載の方法。
【請求項１１】
前記端末装置は、前記第１の組の伝送データ及び前記第２の組の伝送データに前記端末装置が前記第１及び第２の組の伝送データを受信する順序に基づいた数値を割り当てる、請求項１０に記載の方法。
【請求項１２】
プロセッサと、
第１の基本装置の第１の周波数及び第１のミックス識別子を含む第１の組の伝送データ、及び第２の基本装置の第２の周波数及び第２のミックス識別子を含む第２の組の伝送データを記憶するように構成されるメモリと、
前記第１の組の伝送データ又は前記第２の組の伝送データの選択を可能にするユーザ入力装置と
を備える端末装置であって、
前記端末装置は、前記第１の組の伝送データ及び前記第２の組の伝送データをチャネルラベルと関係付け、
前記第１の組の伝送データが選択される場合、前記端末装置は、前記第１の基本装置から前記第１の周波数において第１のオーディオ信号を受信し、前記第２の組の伝送データが選択される場合、前記端末装置は、前記第２の基本装置から前記第２の周波数において第２のオーディオ信号を受信し、且つ
前記端末装置は、前記第１及び第２のオーディオ信号を音声伝送装置に出力するように構成される、端末装置。
【請求項１３】
前記第１及び第２の組の伝送データを受信するように構成される赤外線受信機を更に備える、請求項１２に記載の端末装置。
【請求項１４】
前記メモリは、周波数を含む追加の組の伝送データを受信して前記メモリに記憶するように構成され、且つ電源が切られた場合に全ての記憶された伝送データを保持するように更に構成される、請求項１２に記載の端末装置。
【請求項１５】
前記プロセッサは、前記第１の組の伝送データ及び前記第２の組の伝送データを自動的に前記メモリに受信及び記憶するように構成される、請求項１２に記載の端末装置。
【請求項１６】
前記メモリは、前記プロセッサが干渉を監視及び検出して、前記第１又は第２の基本装置に対する新しい周波数伝送を決定して、前記新しい周波数伝送を前記第１又は第２の基本装置に伝達するための命令を備える、請求項１２に記載の端末装置。
【請求項１７】
選択された前記組の伝送データの少なくとも一部を表示するように構成されるユーザディスプレイを更に備える、請求項１２に記載の端末装置。
【請求項１８】
前記端末装置は、前記第１の組の伝送データ及び前記第２の組の伝送データに前記端末装置が前記第１の組の伝送データ及び前記第２の組の伝送データを受信する順序に基づいて数値を割り当てる、請求項１２に記載の端末装置。
【請求項１９】
プロセッサ、メモリ、ユーザ入力装置、ディスプレイ及び赤外線受信機を備える端末装置と、
各々が無線送信機、プロセッサ、メモリ、ユーザ入力装置、ディスプレイ及び赤外線送信機を備える複数の基本装置と
を備えるオーディオ監視システムであって、
各基本装置は、周波数及びミックス識別子を含む一組の伝送データを前記基本装置の赤外線送信機を介して前記端末装置の赤外線受信機に送信するように構成され、
前記端末装置は、
（ｉ）受信された複数の組の前記伝送データを記憶し、
（ｉｉ）利用可能な記憶された複数の組の前記伝送データのユーザ選択を受信し、
（ｉｉｉ）前記ディスプレイに選択された前記伝送データの少なくとも一部を表示し、
（ｉｖ）選択された組の前記伝送データの前記周波数で前記基本装置の１つからオーディオ信号を受信し、且つ
（ｖ）音声伝送装置に前記オーディオ信号を出力するように構成される、
オーディオ監視システム。
【請求項２０】
前記端末装置は、複数の組の前記伝送データを複数のチャネルラベルと関係付ける、請求項１９に記載のオーディオ監視システム。
【請求項２１】
前記端末装置は、個別の組の伝送データの各々に前記端末装置が前記個別の組の伝送データを受信する順序に基づいて数値を割り当てる、請求項１９に記載のオーディオ監視システム。
【請求項２２】
コンピュータ可読プログラムコードが具現化されるコンピュータ使用可能媒体であって、
前記コンピュータ可読プログラムコードは、方法を実行するためにプロセッサによって実行されるように適合され、
前記方法は、
周波数及びミックス識別子を含む伝送データを用いて複数の基本装置及び少なくとも１つの端末装置を構成し、
伝送干渉に関して前記複数の基本装置及び前記少なくとも１つの端末装置を監視し、且つ
伝送干渉の検出に応じて、前記複数の基本装置及び前記少なくとも１つの端末装置の少なくとも１つの前記伝送データを変更することを備える、コンピュータ使用可能媒体。
【請求項２３】
前記方法は、伝送干渉の検出に応じて前記伝送データを自動的に変更することを更に備える、請求項２２に記載のコンピュータ使用可能媒体。
【請求項２４】
前記方法は、ユーザ入力によって前記伝送データを手動で変更することを更に備える、請求項２２に記載のコンピュータ使用可能媒体。